(57)【要約】      （修正有）【課題】トリガーユニットをちょっとタッチすれば、電動ホルダーのクリップアームが自動的に広がり又は狭まり、操作が簡単で片手操作しやすく、知能化、自動化の程度が高い電動ホルダーを提供する。【解決手段】ハウジング１１と一対のクリップアーム１２を含む電動ホルダーであって、一対のクリップアームのうちの少なくともいずれかに連動連結されている連動機構と、連動機構に連動連結されている電気駆動装置と、電気駆動装置に結合されている制御ユニットと、制御ユニットに結合されている少なくとも１つのトリガーユニットとを更に含む。トリガーユニットは、トリガーされると制御ユニットにトリガー信号を送信し、制御ユニットは、トリガー信号を受信して電気駆動装置に制御信号を送信することで電気駆動装置を動作させ、更に連動機構を駆動し、クリップアームを移動させる。【選択図】図１
0003220957.tif 000002
【実用新案登録請求の範囲】
【請求項１】
ハウジングと、一対のクリップアームを含む電動ホルダーであって、
前記一対のクリップアームのうちの少なくともいずれかに連動連結されている連動機構と、
前記連動機構に連動連結されている電気駆動装置と、
前記電気駆動装置に結合されている制御ユニットと、
前記制御ユニットに結合されている少なくとも１つのトリガーユニットとを更に含み、
前記トリガーユニットがトリガーされると、前記制御ユニットは、前記連動機構に連動されている前記一対のクリップアームのうちの少なくともいずれかを移動させるように、前記電気駆動装置を制御して前記連動機構を駆動させる、電動ホルダー。
【請求項２】
前記電動ホルダーは１つの前記トリガーユニットを含み、
前記トリガーユニットが奇数回トリガーされると、前記制御ユニットが前記一対のクリップアームのうちの少なくともいずれかを内側へ移動させるように、前記電気駆動装置を制御して前記連動機構を正方向に駆動させ、前記トリガーユニットが偶数回トリガーされると、前記制御ユニットが前記一対のクリップアームのうちの少なくともいずれかを外側へ移動させるように、前記電気駆動装置を制御して前記連動機構を逆方向に駆動させ、或いは
前記トリガーユニットが偶数回トリガーされると、前記制御ユニットが前記一対のクリップアームのうちの少なくともいずれかを内側に移動させるように、前記電気駆動装置を制御して前記連動機構を正方向に駆動させ、前記トリガーユニットが奇数回トリガーされると、前記制御ユニットが前記一対のクリップアームのうちの少なくともいずれかを外側に移動させるように、前記電気駆動装置を制御して前記連動機構を逆方向に駆動させる、請求項１に記載の電動ホルダー。
【請求項３】
前記電動ホルダーは、２つの前記トリガーユニットを含み、その中のいずれかがトリガーされると、前記制御ユニットが前記一対のクリップアームのうちの少なくともいずれかを内側に移動させさせるように、前記電気駆動装置を制御して前記連動機構を正方向に駆動させ、その中の別のトリガーユニットがトリガーされると、前記制御ユニットが前記一対のクリップアームの少なくともいずれかを外側に移動させるように、前記電気駆動装置を制御して前記連動機構を逆方向に駆動させる、請求項１に記載の電動ホルダー。
【請求項４】
１つの前記トリガーユニットが前記ハウジングの支持面に位置しており、別の前記トリガーユニットが前記ハウジングの支持面以外の表面に位置している、請求項３に記載の電動ホルダー。
【請求項５】
前記電動ホルダーは、３つの前記トリガーユニットを含み、その中のいずれかがトリガーされると、前記制御ユニットが前記一対のクリップアームのうちの少なくともいずれかを内側に移動させさせるように、前記電気駆動装置を制御して前記連動機構を正方向に駆動すさせ、その中の別の２つの前記トリガーユニットが同時にトリガーされると、前記制御ユニットが前記一対のクリップアームの少なくともいずれかを外側に移動させるように、前記電気駆動装置を制御して前記連動機構を逆方向に駆動させる、請求項１に記載の電動ホルダー。
【請求項６】
前記いずれかのトリガーユニットがハウジングの支持面に位置しており、前記別の２つのトリガーユニットがそれぞれ前記ハウジングの間隔の小さい両側面に位置している、請求項５に記載の電動ホルダー。
【請求項７】
前記制御ユニットは、前記トリガーユニットに故障が発生したか否かを判断することによって、電動ホルダーを異なる動作モードに入るように制御する、請求項３〜６のいずれか一項に記載の電動ホルダー。
【請求項８】
前記電動ホルダーは、前記ハウジングに接続されている台座を更に含み、前記制御ユニット及び／又は前記トリガーユニットが前記台座に設けられている、請求項１に記載の電動ホルダー。
【請求項９】
前記連動機構は、歯車を含み、前記一対のクリップアームのうちの第１クリップアームは、第１挟持部と前記第１挟持部に接続されている第１接続部とを含み、前記第１接続部の前記第１挟持部から離れた一端に第１収容溝が設けられており、前記第１収容溝が第１側面を有しており、前記第１側面が歯状であるとともに、前記第１側面が前記歯車と噛み合っている、請求項２〜６のいずれか一項に記載の電動ホルダー。
【請求項１０】
前記一対のクリップアームのうちの第２クリップアームは、第２挟持部と前記第２挟持部に接続されている第２接続部とを含み、前記第２接続部の前記第２挟持部から離れた一端に第２収容溝が設けられており、前記第２収容溝が前記第１側面とは反対側の第２側面を有しており、前記第２側面が歯状であるとともに、前記第２側面が前記歯車と噛み合っている、請求項９に記載の電動ホルダー。
【請求項１１】
前記接続部には、さらにストッパが設けられている、請求項９に記載の電動ホルダー。
【請求項１２】
前記一対のクリップアームが外側もしくは内側へ限界までに移動し、又は固定対象となる部材を既にクランプした場合、前記制御ユニットが前記電気駆動装置を制御して駆動を停止させる、請求項２〜６のいずれか一項に記載の電動ホルダー。
【請求項１３】
前記制御ユニットは、電流サンプリングサブユニットと駆動制御サブユニットを含み、前記電流サンプリングサブユニットが前記電気駆動装置の動作電流をサンプリングし、前記動作電流が予め設定された閾値よりも大きい場合、前記駆動制御サブユニットが前記電気駆動装置を制御して駆動を停止させる、請求項１２に記載の電動ホルダー。
【請求項１４】
前記電動ホルダーには、さらに入力ユニットと出力ユニットが設けられており、前記入力ユニットと前記出力ユニットがそれぞれ前記電動ホルダーのハウジングに設けられており、前記出力ユニットがＵＳＢポート又は磁気吸引アダプタ又はワイヤレス充電コイルである、請求項１〜６のいずれか一項に記載の電動ホルダー。
【請求項１５】
前記電動ホルダーは、前記ハウジングの底端に設けられている留め具を更に含み、且つ、前記留め具が前記ハウジングと可動的に接続されており、前記出力ユニットが前記留め具に設けられている出力アダプタである、請求項１４に記載の電動ホルダー。
【請求項１６】
前記電動ホルダーは、給電ユニットを更に含み、前記給電ユニットが前記制御ユニット、前記電気駆動装置、前記トリガーユニットに対して独立して給電する、ことを特徴とする請求項１に記載の電動ホルダー。
【考案の詳細な説明】
【技術分野】
【０００１】
本願は、ホルダーの技術分野に関し、例えば、電動ホルダーに関する。
【背景技術】
【０００２】
パーソナル携帯端末機器の普及や通信、ナビゲーション、マルチメディア等のパーソナル携帯端末機器の機能の日々向上に伴い、パーソナル携帯端末機器、特に携帯電話は、人々の生活に欠かせないものになってきている。運転中にユーザーが携帯電話を使用する必要がある場合、携帯電話を固定する方法は、安全性のために解決しなければならない問題とる。
【考案の概要】
【考案が解決しようとする課題】
【０００３】
これに係わる固定ホルダーでは、固定対象となるオブジェクトを固定しようとすると、往々にして一方の手で当該オブジェクトを持ちながら他方の手でホルダーを開く必要があり、そして固定ホルダーに固定されたオブジェクトを外しようとすると、力いっぱい当該オブジェクトを引き抜く必要がある。運転中にこれら動作を行うことは不安全であり、そして、ユーザーが携帯電話や自動車による利便性を楽しむようにする一方で、若干煩雑な操作が増え、ユーザーエクスペリエンスが低下した。
【０００４】
本願は、運転中にユーザーが電動ホルダーを使用する安全性と利便性を向上させるために、ユーザーがクリップアームを手動で動かすことなくクリップアームの狭まり又は広がりを実現することができる電動ホルダーを提供する。
【課題を解決するための手段】
【０００５】
一実施例では、ハウジングと、一対のクリップアームを含む電動ホルダーであって、一対のクリップアームのうちの少なくともいずれかに連動連結されている連動機構と、連動機構に連動連結されている電気駆動装置と、電気駆動装置に結合されている制御ユニットと、制御ユニットに結合されている少なくとも１つのトリガーユニットとを更に含み、トリガーユニットがトリガーされると、制御ユニットは、一対のクリップアームのうちの少なくともいずれかを移動させるように電気駆動装置を制御して連動機構を駆動させる電動ホルダーを提供する。
【０００６】
オプションとして、電動ホルダーは、１つのトリガーユニットを含み、トリガーユニットが奇数・偶数回トリガーされると、制御ユニットが一対のクリップアームのうちの少なくともいずれかを内側へ移動させるように電気駆動装置を制御して連動機構を正方向に駆動させ、トリガーユニットが偶数・奇数回トリガーされると、制御ユニットが一対のクリップアームのうちの少なくともいずれかを外側へ移動させるように電気駆動装置を制御して連動機構を逆方向に駆動する。
【０００７】
オプションとして、電動ホルダーは、２つのトリガーユニットを含み、その中のいずれかがトリガーされると、制御ユニットが一対のクリップアームのうちの少なくともいずれかを内側へ移動させるように電気駆動装置を制御して連動機構を正方向に駆動し、その中の別のトリガーユニットがトリガーされると、制御ユニットが一対のクリップアームのうちの少なくともいずれかを外側へ移動させるように電気駆動装置を制御して連動機構を逆方向に駆動する。
【０００８】
オプションとして、１つのトリガーユニットがハウジングにおける支持面に位置しており、別のトリガーユニットがハウジングにおける支持面と異なる表面に位置している。
【０００９】
オプションとして、電動ホルダーは、３つのトリガーユニットを含み、その中のいずれかがトリガーされると、制御ユニットが一対のクリップアームのうちの少なくともいずれかを内側へ移動させるように電気駆動装置を制御して連動機構を正方向に駆動し、その中の別の２つのトリガーユニットが同時にトリガーされると、制御ユニットが一対のクリップアームのうちの少なくともいずれかを外側へ移動させるように電気駆動装置を制御して連動機構を逆方向に駆動する。
【００１０】
オプションとして、１つのトリガーユニットがハウジングにおける支持面に位置しており、別の２つのトリガーユニットがそれぞれハウジングにおける間隔の小さい両側面に位置している。
【００１１】
オプションとして、制御ユニットは、トリガーユニットに故障が発生したか否かを判断することによって、電動ホルダーを異なる動作モードに入るように制御する。
【００１２】
オプションとして、電動ホルダーは、ハウジングに接続されている台座を更に含み、制御ユニット及び／又はトリガーユニットが台座に設けられている。
【００１３】
オプションとして、連動機構は、歯車を含み、一対のクリップアームのうちの第１クリップアームは、第１挟持部と、第１挟持部に接続されている第１接続部とを含み、第１接続部の第１挟持部から離れた一端に第１収容溝が設けられており、第１収容溝が第１側面を有しており、第１側面が歯状であるとともに歯車と噛み合っている。
【００１４】
オプションとして、一対のクリップアームのうちの第２クリップアームは、第２挟持部と、第２挟持部に接続されている第２接続部とを含み、第２接続部の第２挟持部から離れた一端に第２収容溝が設けられており、第２収容溝が第１側面とは反対側の第２側面を有しており、第２側面が歯状であるとともに歯車と噛み合っている。
【００１５】
オプションとして、接続部にはストッパが設けられている。
【００１６】
オプションとして、一対のクリップアームが外側もしくは内側へ限界まで移動し、又は固定対象となる部材を既にクランプした場合、制御ユニットが電気駆動装置を制御して駆動を停止させる。
【００１７】
オプションとして、制御ユニットは、電流サンプリングサブユニットと駆動制御サブユニットとを含み、電流サンプリングサブユニットが電気駆動装置の動作電流をサンプリングし、動作電流が予め設定された閾値よりも大きい場合、駆動制御サブユニットが電気駆動装置を制御して駆動を停止する。
【００１８】
オプションとして、電動ホルダーには、入力ユニットと出力ユニットとが更に設けられており、出力ユニットがＵＳＢポート又は磁気吸引アダプタ又はワイヤレス充電コイルである。
【００１９】
オプションとして、電動ホルダーは、ハウジングの底端に設けられている留め具を更に含み、且つ、留め具がハウジングと可動的に接続されており、出力ユニットが留め具に設けれている出力アダプタである。
【００２０】
オプションとして、電動ホルダーは、給電ユニットを更に含み、給電ユニットが制御ユニット、電気駆動装置、トリガーユニットに対して独立して給電する。
【００２１】
本願に係る電動ホルダーは、トリガーユニットによってユーザーの目的が携帯端末機器を固定することであるか携帯端末機器を取り外すことであるかを判断することによって、電気駆動装置を正方向又は逆方向に駆動させ、クリップアームを動かして狭め又は広げることで携帯端末機器をクランプ又はリリースし、クリップアームの知能化駆動を実現する。本願に係る電動ホルダーは、操作が簡単で片手操作しやすく、携帯端末機器のクランプ動作においてもリリース動作においても、ユーザーがクリップアームを手動で移動する必要がなく、知能化、自動化の程度が高く、運転中にユーザーが電動ホルダーを使用する安全性と利便性を向上させる。
【図面の簡単な説明】
【００２２】
【図１】一実施例に係る電動ホルダーの構成の斜視図である。
【図２】ハウジングが除去された図１に示す電動ホルダーの支持面の分解斜視図である。
【図３】別の実施例に係る電動ホルダーのハウジングを除去した支持面の分解斜視図である。
【図４】別の実施例に係る電動ホルダーの構成の斜視図である。
【図５】図４に示す電動ホルダーの分解斜視図である。
【図６】別の実施例に係る電動ホルダーの分解斜視図である。
【図７】別の実施例に係る電動ホルダーの構成の斜視図である。
【図８】別の実施例に係る電動ホルダーの構成の斜視図である。
【図９】別の実施例に係る電動ホルダーの動作原理概略図である。
【考案を実施するための形態】
【００２３】
以下、図面及び実施例を参照して本願を詳細に説明する。
【００２４】
本考案の実施例において、あるエレメントが別のエレメントに「固定」されていると言及される場合、直接に固定されてもよく、何かの中間エレメントを介して固定されてもよい。あるエレメントが別のエレメントに「接続」や「連結」されていると考えられる場合、直接に接続・連結されてもよく、何かの中間エレメントを介して接続・連結されてもよい。本文に用いられる「垂直」、「水平」、「左」、「右」、「正方向」、「逆方向」、「第１」又は「第２」という用語及び類似の表記は説明するためのものに過ぎない。
【００２５】
他に定義されない限り、本明細書で使用される全ての技術用語および科学用語は、当業者によって一般的に理解されるものと同じ意味を有する。本明細書で使用される用語は、具体的な実施例を説明するためのものであり、本願を限定するものではない。本明細書で使用される「及び／又は」という用語は、列挙した１つ又は複数の関連事項の任意および全ての組み合せを含む。
【００２６】
本願に係る電動ホルダーは、異なる態様、例えば車載ホルダー、卓上ホルダー又は他の任意のオブジェクトを挟持する必要がある場合に適用可能であり、挟持可能なオブジェクトが携帯電話、タブレットＰＣ、電子ブックリーダー及びナビを含むが、これらに限定されない。以下の実施例は、車載ホルダーで携帯端末機器を挟持することを例として説明する。
【００２７】
図１は、一実施例に係る電動ホルダーの構成の斜視図である。図１に示すように、本実施例に係る電動ホルダーは、ハウジング１１、一対のクリップアーム１２及び台座１３を含む。ハウジング１１は、オブジェクトを受け止めるための支持面１１０を有しており、当該オブジェクトが携帯端末機器であってもよい。支持面１１０を正面として、一対のクリップアーム１２がそれぞれハウジング１１の両側から延出し、台座１３がハウジング１１の裏面に回転可能に接続されている。携帯端末機器は、電動ホルダーに固定されている場合、その裏面がハウジング１１の支持面１１０に接触し、その両側がクリップアーム１２によって挟持される。台座１３が電動ホルダーを車内に固定するために用いられる。本実施例において、台座１３が自動車内のエアコン送風口に固定されてもよい。
【００２８】
オプションとして、電動ホルダーは、ハウジング１１の底端に設けられている留め具１４を更に含み、当該留め具１４が一対のクリップアーム１２と共に携帯端末機器を固定する。クリップアーム１２が広がっているが、ユーザーが携帯端末機器をしっかりと握っていない場合、留め具１４は、電動ホルダーから携帯端末機器の落下を効果的に防止することができる。
【００２９】
他の実施例において、電動ホルダーの台座１３が吸盤式台座又は他の形態の台座であってもよく、電動ホルダーを自動車のインストルメントパネル、センターコンソール、フロントガラス等の位置に固定するために用いられる。なお、留め具１４の形状が板状又は他の形状であってもよく、そして留め具１４とハウジング１１の接続形態は固定接続であってもよく、可動接続であってもよい。固定接続は、留め具１４がハウジング１１に対して水平面又は垂直面内で動けないことであってもよい。可動接続は、留め具１４がハウジング１１に対して水平面内で摺動できる又は垂直面内で回動できることであってもよい。本願において、留め具１４の数、形状及びハウジング１１との接続形態に制限はない。
【００３０】
図２は、ハウジングが除去された図１に示す実施例におけるハウジング１１の支持面１１０の分解斜視図である。図２に示すように、本実施例の電動ホルダーは、連動機構１５、電気駆動装置１６、制御ユニット１７及びトリガーユニット１８を更に含んでもよい。連動機構１５が一対のクリップアーム１２のうちの少なくともいずれかに連動連結されており、電気駆動装置１６が連動機構１５に連動連結されており、制御ユニット１７が電気駆動装置１６に結合されており、トリガーユニット１８が制御ユニット１７に結合されている。トリガーユニット１８がトリガーされると、制御ユニット１７は、連動機構１５と連動する一対のクリップアーム１２のうちの少なくともいずれかを移動させるように電気駆動装置１６を制御して連動機構１５を駆動し、これによって一対のクリップアーム１２の狭まり又は広がり動作を実現する。
【００３１】
具体的には、トリガーユニット１８がトリガーされると、トリガーユニット１８が制御ユニット１７にトリガー信号を送信し、制御ユニット１７は、当該トリガー信号を受信して電気駆動装置１６に制御信号を送信することで電気駆動装置１６を動作させるように制御し、更に連動機構１５を駆動し、連動機構１５と連動連結されている少なくとも１つのクリップアーム１２を連動機構１５の動きに従って移動させる。
【００３２】
本実施例において、制御ユニット１７がプリント配線板１００に設けられており、そしてそれぞれ電気駆動装置１６とトリガーユニット１８とに電気的に接続されている。電気駆動装置１６は、ステッピングサーボモータ又は小型モータ、或いは同じ機能を有する他のモータであってもよく、駆動トルクを発生し正回転と逆回転を実現できればよく、当該電気駆動装置１６がウオーム１６１を有する。連動機構１５が歯車群であり、当該歯車群は、第１歯車１５１、第２歯車１５２及び第３歯車１５３を含み、これら歯車がいずれも二段歯車であり、即ち、１つの歯車が同軸に接続された大歯車と小歯車から構成される。一実施例において、第１歯車１５１の大歯車が電気駆動装置１６のウオーム１６１と噛み合い、第２歯車１５２の大歯車が第１歯車１５１の小歯車と噛み合い、第３歯車１５３の大歯車が第２歯車１５２の小歯車と噛み合っている。
【００３３】
電動ホルダーの両クリップアーム１２がそれぞれ第１クリップアーム１２ａと第２クリップアーム１２ｂである。第１クリップアーム１２ａは、第１挟持部１２１ｃと、第１挟持部１２１ｃに接続されている第１接続部１２２ｃとを含み、当該第１接続部１２２ｃの第１挟持部１２１ｃから離れた一端に第１収容溝１２３ｃが開設されている。第２クリップアーム１２ｂは、第２挟持部１２１ｂと、第２挟持部１２１ｂに接続されている第２接続部１２２ｂとを含み、当該第２接続部１２２ｂの第２挟持部１２１ｂから離れた一端に第２収容溝１２３ｂが開設されている。第１収容溝１２３ｃ内に第１側面１２４ａが存在し、当該第１側面１２４ａが歯状である。第２収容溝１２３ｂ内の第１側面１２４ａとは反対側が第２側面１２４ｂであり、第２側面１２４ｂも歯状である。
【００３４】
第１クリップアーム１２ａの第１側面１２４ａ及び第２クリップアーム１２ｂの第２側面１２４ｂがいずれも第３歯車１５３の小歯車と噛み合っている。ウオーム１６１が回動すると、第１歯車１５１がウオーム１６１によって動かされて回動し、引き続き第２歯車１５２を動かして回動させ、第２歯車１５２が引き続き第３歯車１５３を動かして回動させ、最後に、第３歯車１５３が第１クリップアーム１２ａと第２クリップアーム１２ｂを動かしてお互いに反対方向に同時移動させる。例えば、第１クリップアーム１２ａと第２クリップアーム１２ｂが同時に対向移動又は背向移動する。このようにして、電気駆動装置１６と連動機構１５とクリップアーム１２との間の連動連結を実現する。
【００３５】
第１接続部１２２ｃの第１挟持部１２１ａから離れた一端、及び第２接続部１２２ｂの第２挟持部１２１ｂから離れた一端のそれぞれに、第１クリップアーム１２ａと第２クリップアーム１２ｂの背向移動の距離を限定するためのストッパ１２６が設けられる。本実施例において、ストッパ１２６がホックであり、ハウジング１１の側壁の内側に係止部１１１が設けられており、第１クリップアーム１２ａと第２クリップアーム１２ｂが背向移動すると、ストッパ１２６が最終的に係止部１１１と係合され、これによって第１クリップアーム１２ａと第２クリップアーム１２ｂがこれ以上背向移動することができず、即ち、クリップアーム１２が既に最大限まで広がっている。
【００３６】
オプションとして、ウオーム１６１と第１歯車１５１との間にセルフロック構造が形成され、セルフロックの原理によれば、ウオームのリード角が噛み合っていた歯車同士の歯間の等価摩擦角よりも小さい場合、ウオームがセルフロック性を有し、逆方向のセルフロックを実現することができる。即ち、ウオーム１６１によって第１歯車１５１を動かして回動させることができるが、第１歯車１５１によってウオーム１６１を動かして回動させることはできず、クリップアーム１２が電気駆動装置１６によって連動機構１５を介するのみで駆動され得ること、且つ電気駆動装置１６がクリップアーム１２、連動機構１５によって動かされることはないことを確保する。そのため、電気駆動装置１６の駆動がない場合、電動ホルダーが激しく揺れ、或いはユーザーが手でクリップアーム１２を内へ押したり外へ引いたりしても、クリップアーム１２を移動することはできない。このようにして、クリップアーム１２が携帯端末機器をクランプした場合、揺動により緩んだり、クリップアーム12が誤って触れることにより緩んだりすることはないことを確保し、携帯端末機器の落下が回避できる。
【００３７】
本実施例において、トリガーユニット１８の数が１つであり、当該トリガーユニット１８が奇数回トリガーされると、即ち、トリガーユニット１８が１回目、３回目、５回目等トリガーされると、制御ユニット１７が一対のクリップアーム１２を狭めるように電気駆動装置１６を制御して連動機構１５を正方向へ駆動させ、トリガーユニット１８が偶数回トリガーされると、即ち、トリガーユニット１８が２回目、４回目、６回目等トリガーされると、制御ユニット１７が一対のクリップアーム１２を広げるように電気駆動装置１６を制御して連動機構１５を逆方向へ駆動させる。
【００３８】
オプションとして、当該トリガーユニット１８が奇数回トリガーされると、即ち、トリガーユニット１８が１回目、３回目、５回目等トリガーされると、制御ユニット１７が一対のクリップアーム１２を広げるように電気駆動装置１６を制御して連動機構１５を逆方向へ駆動させ、トリガーユニット１８が偶数回トリガーされると、即ち、トリガーユニット１８が２回目、４回目、６回目等トリガーされると、制御ユニット１７が一対のクリップアーム１２を狭めるように電気駆動装置１６を制御して連動機構１５を正方向へ駆動させる。
【００３９】
具体的に、トリガーユニット１８がトリガーされるごとに制御ユニット１７にトリガー信号を送信し、制御ユニット１７がトリガー信号を奇数回目に受信した時に送信する制御信号は、制御ユニット１７がトリガー信号を偶数回目に受信した時に送信する制御信号と異なっている。例えば、トリガーユニット１８は、奇数回トリガーされると、制御ユニット１７にトリガー信号を送信し、そして制御ユニット１７がトリガー信号を奇数回目に受信すると、電気駆動装置１６に正回転信号を送信する。トリガーユニット１８は、偶数回トリガーされると、制御ユニット１７にトリガー信号を送信し、そして制御ユニット１７がトリガー信号を偶数回目に受信すると、電気駆動装置１６に逆回転信号を送信する。或いは、例えば、トリガーユニット１８は、偶数回リガーされると、制御ユニット１７にトリガー信号を送信し、そして制御ユニット１７がトリガー信号を偶数回目に受信すると、電気駆動装置１６に正回転信号を送信する。トリガーユニット１８は、奇数回トリガーされると、制御ユニット１７にトリガー信号を送信し、そして制御ユニット１７がトリガー信号を奇数回目に受信すると、電気駆動装置１６に逆回転信号を送信する。電気駆動装置１６は、正回転信号を受信すれば正回転を開始し、連動機構１５を動かして正方向へ回動させ、これによって第１クリップアーム１２ａと第２クリップアーム１２ｂのそれぞれを内側へ移動させ、即ち、第１クリップアーム１２ａと第２クリップアーム１２ｂとを対向移動させ、一対のクリップアーム１２の狭まり動作を実現する。電気駆動装置１６は、逆回転信号を受信すれば逆回転を開始し、連動機構１５を動かして逆方向へ回動させ、これによって第１クリップアーム１２ａと第２クリップアーム１２ｂのそれぞれを外側へ移動させ、即ち、第１クリップアーム１２ａと第２クリップアーム１２ｂを背向移動させ、一対のクリップアーム１２の広がり動作を実現する。
【００４０】
他の実施例において、トリガーユニット１８が奇数回目トリガーされる時に制御ユニット１７に送信するトリガー信号は、トリガーユニット１８が偶数回目トリガーされる時に制御ユニット１７に送信するトリガー信号と異なっており、制御ユニット１７は異なるトリガー信号に応じて対応する制御信号を送信してもよい。例えば、トリガーユニット１８が奇数回目トリガーされると、制御ユニット１７に狭まりトリガー信号を送信し、制御ユニット１７が当該狭まりトリガー信号を受信すれば電気駆動装置１６に正回転信号を送信し、電気駆動装置１６を正回転させ、トリガーユニット１８が偶数回目トリガーされると、制御ユニット１７に広がりトリガー信号を送信し、制御ユニット１７が当該広がりトリガー信号を受信すれば電気駆動装置１６に逆回転信号を送信し、電気駆動装置１６を逆回転させる。或いは、例えば、トリガーユニット１８が奇数回目トリガーされると、制御ユニット１７に広がりトリガー信号を送信し、制御ユニット１７が当該広がりトリガー信号を受信すれば電気駆動装置１６に逆回転信号を送信し、電気駆動装置１６を逆回転させ、トリガーユニット１８が偶数回目トリガーされると、制御ユニット１７に狭まりトリガー信号を送信し、制御ユニット１７が当該狭まりトリガー信号を受信すれば電気駆動装置１６に正回転信号を送信し、電気駆動装置１６を正回転させる。
【００４１】
オプションとして、トリガーユニット１８がハウジング１１の側面に設けられており、通常、携帯端末機器を取り外す時に、ユーザーが片手の親指と残りの指で携帯端末機器を掴むため、トリガーユニット１８をハウジング１１の側面に設けることによって、携帯端末機器がユーザーに掴まれることと同時に、トリガーユニット１８がユーザーの指にトリガーされ得、操作が簡単で、且つユーザーの使用習慣に適合する。オプションとして、トリガーユニット１８がクリップアーム１２とハウジング１１の底端との間の位置に設けられており、さらにユーザーの使用習慣に適合し、且つ、携帯端末機器を取り外す時に、ユーザーが携帯端末機器の下半部を掴むことができ、携帯端末機器の手から滑落することを更に効果的に防止する。
【００４２】
他の実施例において、トリガーユニット１８と制御ユニット１７との結合が実現できれば、当該トリガーユニット１８の設置可能な位置がハウジング１１の側面に限定されず、ハウジング１１の他の表面に設けてもよく、更に、クリップアーム１２或いは留め具１４に設けてもよい。なお、１つのトリガーユニット１８について、ユーザーの使用習慣から考えると、オプションとして、当該トリガーユニット１８が電動ホルダーの支持面１１０以外の表面に設けられている。
【００４３】
他の実施例において、台座１３が吸盤式台座又は内部キャビティを有する他の固定台座である場合、制御ユニット１７と電気駆動装置１６及びトリガーユニット１８との結合、例えば、導線によって電気的に接続することが実現できれば、トリガーユニット１８を単独で或いは制御ユニット１７と共に台座１３内に設けることができる。このようにして、ハウジング１１内で電気駆動装置１６と連動機構１５のみが保留される必要があり、これによってハウジング１１の体積を小さく設計することができ、外観が精巧で大きくない。
【００４４】
他の実施例において、連動機構１５は、単一の歯車であって、例えば、ウオーム１６１及び第１クリップアーム１２ａと同時に噛み合っている歯車が一つのみ存在してもよく、２つ又は３つ以上の歯車からなる歯車群であってもよく、歯車のタイプは一段歯車であってもよく、クリップアーム１２、連動機構１５と電気駆動装置１６のレイアウトを調製すれば、クリップアーム１２と電気駆動装置１６との連動の効果も得られる。
【００４５】
他の実施例において、ストッパ１２６がそれぞれ第１収容溝１２３ｃと第２収容溝１２３ｂの開口部に設けら、収容溝とともに閉鎖した貫通孔を形成してもよく、第１歯車が当該貫通孔内で動き、第１歯車が当該ストッパ１２６に突き当たると、クリップアーム１２が移動を停止し、ハウジング１１にストッパ１２６と対応する係止部を別途設ける必要がない。
【００４６】
本願に係る電動ホルダーは、トリガーユニット１８をちょっとしたタッチすれば、電動ホルダーのクリップアーム１２が自動的に広がり又は狭まり、操作が簡単で片手操作しやすく、知能化、自動化の程度が高い。また、本願に係る電動ホルダーは、モータによってクリップアーム１２を動かして等速に狭め、挟持された携帯端末機器に損傷を与えることない一方、典型的な車載ホルダーが一般的にバネ式のクリップアームを使用し、往々にして携帯端末機器をクランプする瞬間に衝撃が大きく、端末機器の両側に損傷を与えやすい。
【００４７】
図３を参照し、図３は、別の実施例における電動ホルダーのハウジング支持面１１０を除去した分解斜視図である。図３に示すように、本実施例に係る電動ホルダーは、ハウジング２１、第１クリップアーム２２ａ、第２クリップアーム２２ｂ、連動機構２５、電気駆動装置２６、制御ユニット２７及びトリガーユニット２８を含む。ここで、第１クリップアーム２２ａが連動機構２５に連動連結されており、第２クリップアーム２２ｂが連動機構２５に連動連結されていない。トリガーユニット２８がトリガーされると、制御ユニット２７は、連動機構２５と連動されている第１クリップアーム２２ａを移動させるように電気駆動装置２６を制御して連動機構２５を駆動させ、これによって一対のクリップアーム２２ａと２２ｂの狭まり又は広がり動作を実現する。
【００４８】
具体的に、電気駆動装置２６がウオーム２６１を含み、連動機構２５が歯車群であり、当該歯車群が第１歯車２５１、第２歯車２５２及び第３歯車２５３を含み、第１歯車２５１、第２歯車２５２及び第３歯車２５３がいずれも二段歯車であり、即ち、１つの歯車が同軸に接続された大歯車と小歯車から構成される。ここで、第１歯車２５１の大歯車が電気駆動装置２６のウオーム２６１と噛み合い、第２歯車２５２の大歯車が第１歯車２５１の小歯車と噛み合い、第３歯車２５３の大歯車が第２歯車２５２の小歯車と噛み合っている。
【００４９】
第１クリップアーム２２ａは、第１挟持部２２１ａと、第１挟持部２２１ａに接続されている第１接続部２２２ａとを含み、当該第１接続部２２２ａの第１挟持部２２１ａから離れた一端に第１収容溝２２３ａが開設されている。第１収容溝２２３ａ内に第１側面２２４ａを有しており、当該第１側面２２４ａが歯状であり、第３歯車２５３と噛み合っている。
【００５０】
ウオーム２６１が回動すると、第１歯車２５１がウオーム２６１によって動かされて回動し、引き続き第２歯車２５２を動かして回動させ、第２歯車２５２が引き続き第３歯車２５３を動かして回動させ、最後に、第３歯車２５３が第１クリップアーム２２ａを動かして移動させる。このようにして、電気駆動装置１６と連動機構１５とクリップアーム１２との間の連動連結を実現する。
【００５１】
第１接続部２２２ａの第１挟持部２２１ａから離れた一端に、第１クリップアーム２２ａの移動距離を制限するためのストッパ２２６が設けられる。本実施例において、ストッパ２２６がホックであり、ハウジング２１の側壁の内側に係止部２１１が設けられており、第１クリップアーム２２ａが移動すると、ストッパ２２６が最終的に係止部２１１と係合され、これによって第１クリップアーム２２ａが当該方向に沿ってこれ以上移動できない。
【００５２】
第２クリップアーム２２ｂは、ハウジング２１に対して固定され、第２挟持部２２１ｂと、第２挟持部２２１ｂに接続されている第２接続部２２２ｂとを含み、当該第２接続部２２２ｂの第２挟持部２２１ｂから離れた一端に第２収容溝２２３ｂが開設されている。第２収容溝２２３ｂ内に歯状の側面がないため、第３歯車２５３と噛み合うことがなく、第３歯車２５３が第２収容溝２２３ｂ内に位置しても、第２クリップアーム２２ｂを動かして移動させることはない。
【００５３】
本実施例において、トリガーユニット２８の数も１つであり、トリガーユニット２８がトリガーされるごとに制御ユニット２７にトリガー信号を送信し、制御ユニット２７がトリガー信号を奇数回目に受信した時に送信する制御信号は、制御ユニット２７がトリガー信号を偶数回目に受信した時に送信する制御信号と異なっている。例えば、トリガーユニット２８は、奇数回目トリガーされると、制御ユニット２７にトリガー信号を送信し、そして制御ユニット２７がトリガー信号を奇数回目に受信した時、電気駆動装置２６に正回転信号を送信する。トリガーユニット２８が偶数回目にトリガーされる時、制御ユニット２７にトリガー信号を送信し、そして制御ユニット２７がトリガー信号を偶数回目に受信すると、電気駆動装置２６に逆回転信号を送信する。或いは、例えば、トリガーユニット２８は、偶数回目トリガーされると、制御ユニット２７にトリガー信号を送信し、そして制御ユニット２７がトリガー信号を偶数回目に受信すると、電気駆動装置２６に正回転信号を送信する。トリガーユニット２８は、奇数回目トリガーされると、制御ユニット２７にトリガー信号を送信し、そして制御ユニット２７がトリガー信号を奇数回目に受信すると、電気駆動装置２６に逆回転信号を送信する。電気駆動装置２６は、正回転信号を受信すれば正回転を開始し、連動機構２５を動かして正方向へ回動させ、これによって第１クリップアーム２２ａを内側へ移動させ、即ち、第１クリップアーム２２ａを第２クリップアーム２２ｂに接近する方向へ移動させ、これによって一対のクリップアーム２２ａと２２ｂの狭まり動作を実現する。電気駆動装置２６は、逆回転信号を受信すれば逆回転を開始し、連動機構２５を動かして逆方向へ回動させ、これによって第１クリップアーム２２ａを外側へ移動させ、即ち、第１クリップアーム２２ａを第２クリップアーム２２ｂから離れた方向へ移動させ、これによって一対のクリップアーム２２ａと２２ｂの広がり動作を実現する。
【００５４】
他の実施例において、トリガーユニット２８が奇数回目トリガーされる時に制御ユニット２７に送信するトリガー信号は、トリガーユニット２８が偶数回目トリガーされる時に制御ユニット２７に送信するトリガー信号と異なっており、制御ユニット２７は異なるトリガー信号に応じて対応する制御信号を送信してもよい。例えば、トリガーユニット２８が奇数回目にトリガーされると、制御ユニット２７に狭まりトリガー信号を送信し、制御ユニット２７が当該狭まりトリガー信号を受信すれば電気駆動装置２６に正回転信号を送信し、電気駆動装置２６を正回転させ、トリガーユニット２８が偶数回目トリガーされると、制御ユニット２７に広がりトリガー信号を送信し、制御ユニット２７が当該広がりトリガー信号を受信すれば電気駆動装置２６に逆回転信号を送信し、電気駆動装置２６を逆回転させる。或いは、例えば、トリガーユニット２８が奇数回目トリガーされると、制御ユニット２７に広がりトリガー信号を送信し、制御ユニット２７が当該広がりトリガー信号を受信すれば電気駆動装置２６に逆回転信号を送信し、電気駆動装置２６を逆回転させ、トリガーユニット２８が偶数回目トリガーされると、制御ユニット２７に狭まりトリガー信号を送信し、制御ユニット２７が当該狭まりトリガー信号を受信すれば電気駆動装置２６に正回転信号を送信し、電気駆動装置２６を正回転させる。
【００５５】
オプションとして、トリガーユニット２８がハウジング２１の側面に設けられており、通常、携帯端末機器を取り外す時に、ユーザーが片手の親指と残りの指で携帯端末機器を掴むため、トリガーユニット２８をハウジング２１の側面に設けることによって、携帯端末機器がユーザーに掴まれることと同時に、トリガーユニット１８がユーザーの指にトリガーされ得、操作が簡単で、且つユーザーの使用習慣に適合する。オプションとして、トリガーユニット２８がクリップアーム２２とハウジング２１の底端との間の位置に設けられており、さらにユーザーの使用習慣に適合し、且つ、携帯端末機器を取り外す時に、ユーザーが携帯端末機器の下半部を掴むことができ、携帯端末機器の手から滑落することを更に効果的に防止する。
【００５６】
他の実施例において、第２クリップアーム２２ｂが固定されて動かないため、当該第２クリップアーム２２ｂが第１クリップアーム２２ａの構造と実質的に一致する必要がなく、ハウジング２１と一体成形された固定アームであってもよく、そのため、接続部を設ける必要がなく、ハウジング２１に固定された挟持部を保留すればよい。
【００５７】
図４を参照し、図４は本願の別の実施例における電動ホルダーの構成の斜視図である。図４に示すように、本実施例に係る電動ホルダーは、ハウジング３１、一対のクリップアーム３２、台座３３及び留め具３４を含む。ここで、ハウジング３１は、オブジェクトを受け止めるための支持面３１０を有しており、支持面３１０の中央の上方に接近する領域に突起した可動ブロック３１２が設けられており、当該可動ブロック３１２が支持面３１０に垂直した方向に沿って往復運動することができる。
【００５８】
図５を参照し、図５は図４に示す実施例における電動ホルダーの分解斜視図である。図５に示すように、本実施例の電動ホルダーは、連動機構３５、電気駆動装置３６、制御ユニット３７及びトリガーユニット３８を更に含み、電気駆動装置３６が連動機構３５と連動連結されており、制御ユニット３７が電気駆動装置３６に結合されており、トリガーユニット３８が制御ユニット３７に結合されている。トリガーユニット３８の数が２つであり、それぞれ第１トリガーユニット３８ａと第２トリガーユニット３８ｂである。電動ホルダーの両クリップアームがそれぞれ第１クリップアーム３２ａと第２クリップアーム３２ｂであり、第１クリップアーム３２ａと第２クリップアーム３２ｂがいずれも連動機構３５と連動連結されている。
【００５９】
理解するであろう、電気駆動装置３６と連動機構３５との連動連結、及び連動機構３５とクリップアーム３２との連動連結が実現できれば、連動機構３５は、単一の歯車であってもよく、２つ又は２つ以上の歯車からなる歯車群であってもよく、歯車のタイプが一段歯車であってもよく、二段歯車であってもよい。携帯端末機器の挟持効果が得られるかぎり、第１クリップアーム３２ａと第２クリップアーム３２ｂの中、１つのみのクリップアーム、例えば第１クリップアーム３２ａが連動機構３５と連動連結されてもよく、第２クリップアーム３２ｂがハウジング３１に固定され、ここでは説明を省略する。
【００６０】
第１トリガーユニット３８ａがトリガーされると、制御ユニット３７は、第１クリップアーム３２ａと第２クリップアーム３２ｂのそれぞれを内側へ移動させるように電気駆動装置３６を制御して連動機構３５を正方向へ駆動させ、その表現として一対のクリップアーム３２が狭まり、第２トリガーユニット３８ｂがトリガーされると、制御ユニット３７は、第１クリップアーム３２ａと第２クリップアーム３２ｂのそれぞれを外側へ移動させるように電気駆動装置３６を制御して連動機構３５を逆方向へ駆動させ、その表現として一対のクリップアーム３２が広がる。
【００６１】
具体的に、第１トリガーユニット３８ａがトリガーされると、第１トリガーユニット３８ａが制御ユニット３７にトリガー信号を送信し、制御ユニット３７が当該トリガー信号を受信し、そして電気駆動装置３６に正回転信号を送信し、電気駆動装置３６が当該正回転信号を受信して正回転を開始し、連動機構３５を動かして正方向へ回動させ、これによって連動機構３５と連動されている第１クリップアーム３２ａと第２クリップアーム３２ｂのそれぞれを動かして内側へ移動させ、即ち、第１クリップアーム３２ａと第２クリップアーム３２ｂを対向移動させる。第２トリガーユニット３８ｂがトリガーされると、第２トリガーユニット３８ｂが制御ユニット３７にトリガー信号を送信し、制御ユニット３７が当該トリガー信号を受信し、そして電気駆動装置３６に逆回転信号を送信し、電気駆動装置３６が当該逆回転信号を受信して逆回転を開始し、連動機構３５を動かして逆方向へ回動させ、これによって連動機構３５と連動されている第１クリップアーム３２ａと第２クリップアーム３２ｂのそれぞれを動かして外側へ移動させ、即ち、第１クリップアーム３２ａと第２クリップアーム３２ｂを背向移動させる。
【００６２】
本実施例において、第１トリガーユニット３８ａがタクトスイッチ（タッチスイッチの一種）であってもよく、可動ブロック３１２と対応して設けられ、可動ブロック３１２がハウジング３１の裏面への力を受けると、可動ブロック３１２がハウジング３１の裏面へ移動して第１トリガーユニット３８ａに当接し、これによって当該第１トリガーユニット３８ａをトリガーする。ユーザーが携帯端末機器を固定する必要がある場合、直接に携帯端末機器を支持面３１０に置き、手で付勢して又は携帯端末機器自体の重力で可動ブロック３１２を押圧し、これによって第１トリガーユニット３８ａをトリガーし、クリップアーム３２を自動的に狭め、携帯端末機器をクランプすることができる。
【００６３】
携帯端末機器が電動ホルダーに固定されている時に、携帯端末機器は必ず支持面３１０によって受け止められ、即ち、携帯端末機器は必ず支持面３１０に接触し、支持面３１０との間に力の作用が存在しているため、クリップアーム３２の狭まり動作に対応する第１トリガーユニット３８ａを支持面３１０に設ければ、携帯端末機器を支持面３１０に置く動作のみで、クリップアーム３２に携帯端末機器を自動的にクランプすることができ、操作が簡単である。また、携帯端末機器が支持面３１０上に置かれ時に必ず可動ブロック３１２に付勢し、可動ブロック３１２と対応して設けられている第１トリガーユニット３８ａがタクトスイッチであれば、容易にトリガーされることができ、コストが低くて効果が著しい。
【００６４】
他の実施例において、第１トリガーユニット３８ａが圧力センサであってもよく、そのトリガープロセスがタッチスイッチと類似している。可動ブロック３１２を設けないとすれば、第１トリガーユニット３８ａが支持面３１０の表面に設けられている赤外線センサであってもよく、移動端末が支持面に接近すると、赤外線センサが移動端末との距離を検出することによってトリガーされ得る。
【００６５】
他の実施例において、第１トリガーユニット３８ａと制御ユニット３７との結合が実現できれば、当該第１トリガーユニット３８ａの設置可能な位置がハウジング３１の支持面３１０に限定されず、ハウジング３１の他の表面に設けてもよい。
【００６６】
第２トリガーユニット３８ｂがハウジング３１の側面に位置している。通常、携帯端末機器を取り外す時に、ユーザーが片手の親指と残りの指で携帯端末機器を掴むため、第２トリガーユニット３８ｂをハウジング３１の側面に設けることによって、ユーザーの親指及び残りの指にそれぞれトリガーされ得るとともに同時にトリガーされやすく、操作が簡単でユーザーの使用習慣に適合する。
【００６７】
オプションとして、第２トリガーユニット３８ｂがクリップアーム３２とハウジング３１の底端との間の位置に設けられており、さらにユーザーの使用習慣に適合し、且つ、携帯端末機器を取り外す時に、ユーザーが携帯端末機器の下半部を掴むことができ、携帯端末機器の手から滑落することを更に効果的に防止する。
【００６８】
他の実施例において、第２トリガーユニット３８ｂと制御ユニット３７との結合が実現できれば、当該第２トリガーユニット３８ｂの設置可能な位置がハウジング３１の側面に限定されず、ハウジング３１の他の表面に設けてもよく、またクリップアーム３２又は留め具３４に設けてもよい。なお、第２トリガーユニット３８ｂは、携帯端末機器が既に支持面３１０上に位置している場合にクリップアーム３２を広げるために用いられるため、ユーザーの使用習慣から考えると、オプションとして、当該第２トリガーユニット３８ｂが電動ホルダーの支持面３１０以外の表面に設けられている。
【００６９】
他の実施例において、制御ユニット３７は、第１トリガーユニット３８ａと第２トリガーユニット３８ｂに故障が発生したか否かを事前に判断することによって、電動ホルダーを異なる動作モードに入るように制御することができる。具体的に、第１トリガーユニット３８ａと第２トリガーユニット３８ｂがいずれも正常である場合、制御ユニット３７が電動ホルダーを第１動作モードに入るように制御する。前記第１動作モードでは、第１トリガーユニット３８ａがトリガーされると、制御ユニット３７が電気駆動装置３６に正回転信号を送信してクリップアーム３２を狭め、第２トリガーユニット３８ｂがトリガーされると、制御ユニット３７が電気駆動装置３６に逆回転信号を送信してクリップアーム３２を広げる。第１トリガーユニット３８ａと第２トリガーユニット３８ｂのうちのいずれか、例えば第１トリガーユニット３８ａが故障した場合、制御ユニット３７が電動ホルダーを第２動作モードに入るように制御する。前記第２動作モードでは、第２トリガーユニット３８ｂがトリガーされるごとに制御ユニット３７にトリガー信号を送信し、制御ユニット３７がトリガー信号を奇数回目に受信したときに送信する制御信号は、制御ユニット３７がトリガー信号を偶数回目に受信したときに送信する制御信号と異なっている。例えば、制御ユニット３７が、電気駆動装置３６を正回転させるように、トリガー信号を奇数回目に受信した時に正回転信号を送信し、これによってクリップアーム３２を狭め、制御ユニット３７が、電気駆動装置３６を逆回転させるように、トリガー信号を偶数回目に受信した時に逆回転信号を送信し、これによってクリップアーム３２を広げる。或いは、制御ユニット３７が、電気駆動装置３６を逆回転させるように、トリガー信号を奇数回目に受信した時に逆回転信号を送信し、これによってクリップアーム３２を広げ、制御ユニット３７が、電気駆動装置３６を正回転させるように、トリガー信号を偶数回目に受信した時に正回転信号を送信し、これによってクリップアーム３２を狭める。或いは、第２トリガーユニット３８ｂは、奇数回トリガーされると、制御ユニット３７に狭まりトリガー信号を送信し、制御ユニット３７が当該狭まりトリガー信号を受信すれば電気駆動装置３６に正回転信号を送信し、電気駆動装置３６を正回転させ、これによってクリップアーム３２を狭め、第２トリガーユニット３８ｂは、偶数回トリガーされると、制御ユニット３７に広がりトリガー信号を送信し、制御ユニット３７が当該広がりトリガー信号を受信すれば電気駆動装置３６に逆回転信号を送信し、電気駆動装置３６を逆回転させる、これによってクリップアーム３２を広げる。各動作モードの具体的な動作原理及びプロセスは、前述した実施例で既に詳しく説明したため、ここでは説明を省略する。
【００７０】
このようにして、電動ホルダーが２つのトリガーユニットを含む場合、その中のいずれかに故障が発生しても、電動ホルダーが他のトリガーユニットによって引き続き動作することができ、電動ホルダーの実用性及び信頼性を向上させる。
【００７１】
図６を参照し、図６は、別の実施例における電動ホルダーの分解斜視図である。図６に示すように、本実施例に係る電動ホルダーは、ハウジング４１、第１クリップアーム４２ａ、第２クリップアーム４２ｂ、連動機構４５、電気駆動装置４６、制御ユニット４７、第１トリガーユニット４８ａ、第２トリガーユニット４８ｂ及び第３トリガーユニット４８ｃを含む。電気駆動装置４６が連動機構４５と連動連結されており、制御ユニット４７が電気駆動装置４６に結合されており、第１トリガーユニット４８ａ、第２トリガーユニット４８ｂ及び第３トリガーユニット４８ｃがいずれも制御ユニット４７に結合されている。ハウジング４１がオブジェクト設備を受け止めるための支持面４１０を有しており、支持面４１０の中央上方付近の領域に可動ブロック４１２が設けられており、当該可動ブロック４１２が支持面４１０に垂直した方向に沿って往復運動することができる。電動ホルダーの２つのクリップアームは、それぞれ第１クリップアーム４２ａと第２クリップアーム４２ｂであり、第１クリップアーム４２ａと第２クリップアーム４２ｂは、いずれも連動機構４５と連動連結されている。
【００７２】
理解するであろう、携帯端末機器の挟持効果が得られるかぎり、第１クリップアーム４２ａと第２クリップアーム４２ｂの中、１つのみのクリップアーム、例えば第１クリップアーム４２ａが連動機構４５と連動連結されてもよく、第２クリップアーム４２ｂがハウジング４１に固定される。電気駆動装置４６と連動機構４５との連動連結、及び連動機構４５と第１クリップアーム４２ａ及び／又は第２クリップアーム４２ｂとの連動連結が実現できれば、連動機構４５が単一の歯車であってもよく、２つ又は２つ以上の歯車からなる歯車群であってもよく、歯車のタイプが一段歯車であってもよく、二段歯車であってもよく、ここでは説明を省略する。
【００７３】
第１トリガーユニット４８ａがトリガーされると、制御ユニット４７は、電気駆動装置４６を制御して連動機構４５を正方向へ駆動させ、これによって第１クリップアーム４２ａと第２クリップアーム４２ｂのぞれぞれを内側へ移動させ、その表現として一対のクリップアームが狭まる。第２トリガーユニット４８ｂと第３トリガーユニット４８ｃが同時にトリガーされると、制御ユニット４７は、電気駆動装置４６を制御して連動機構４５を逆方向へ駆動させ、これによって第１クリップアーム４２ａと第２クリップアーム４２ｂのそれぞれを外側へ移動させ、その表現として一対のクリップアームが広がる。
【００７４】
具体的に、第１トリガーユニット４８ａがトリガーされると、第１トリガーユニット４８ａが制御ユニット４７にトリガー信号を送信し、制御ユニット４７が当該トリガー信号を受信して電気駆動装置４６に正回転信号を送信し、電気駆動装置４６が当該正回転信号を受信して正回転を開始し、連動機構４５を動かして正方向へ回動させ、これによって連動機構４５と連動されている第１クリップアーム４２ａと第２クリップアーム４２ｂのそれぞれを内側へ移動させ、即ち、第１クリップアーム４２ａと第２クリップアーム４２ｂが対向移動する。第２トリガーユニット４８ｂと第３トリガーユニット４８ｃが同時にトリガーされると、第２トリガーユニット４８ｂと第３トリガーユニット４８ｃがそれぞれ制御ユニット４７にトリガー信号を送信し、制御ユニット４７が第２トリガーユニット４８ｂと第３トリガーユニット４８ｃからの２つのトリガー信号を同時に受信すると、電気駆動装置４６に逆回転信号を送信し、電気駆動装置４６が該逆回転信号を受信して逆回転を開始し、連動機構４５を動かして逆方向へ回動させ、これによって連動機構４５と連動されている第１クリップアーム４２ａと第２クリップアーム４２ｂのそれぞれを外側へ移動させ、即ち、第１クリップアーム４２ａと第２クリップアーム４２ｂが背向移動する。
【００７５】
第１トリガーユニット４８ａがタッチスイッチであってもよく、ハウジング４１の支持面４１０に設けられている可動ブロック４１２に対応し、可動ブロック４１２がハウジング４１の裏面への力を受信すると、可動ブロック４１２がハウジング４１の裏面へ移動して第１トリガーユニット４８ａに当接し、これによって当該第１トリガーユニット４８ａをトリガーする。ユーザーが携帯端末機器を固定する必要がある場合、直接に携帯端末機器を支持面４１０に置き、手で付勢して又は携帯端末機器自体の重力で可動ブロック４１２を押圧し、これによって第１トリガーユニット４８ａをトリガーし、クリップアーム４２を自動的に狭め、携帯端末機器をクランプすることができる。
【００７６】
携帯端末機器が電動ホルダーに固定されている時に、携帯端末機器が必ず支持面４１０に受け止められ、即ち、携帯端末機器が必ず支持面４１０に接触し、支持面４１０との間に力の作用が存在しているため、クリップアーム４２の狭まり動作に対応する第１トリガーユニット４８ａを支持面４１０に設ければ、携帯端末機器を支持面４１０に置く動作のみで、クリップアーム４２が携帯端末機器を自動的にクランプすることができ、操作が簡単である。また、携帯端末機器が支持面４１０上に置かれる時に必ず可動ブロック４１２に付勢し、可動ブロック４１２と対応的に設けられている第１トリガーユニット４８ａがタッチスイッチであれば、容易にトリガーされることができ、コストが低くて効果が著しい。
【００７７】
理解するであろう、第１トリガーユニット４８ａは、ハウジング４１の支持面４１０以外の表面に設けられてもよく、また圧力センサ又は他のセンサを利用してもよく、ここでは説明を省略する。
【００７８】
第２トリガーユニット４８ｂと第３トリガーユニット４８ｃがそれぞれハウジング４１の両側に設けられており、オプションとして、第２トリガーユニット４８ｂと第３トリガーユニット４８ｃがそれぞれハウジング４１の両側面に設けられており、且つ、いずれもクリップアーム４２とハウジング４１の底端との間に位置している。ユーザーがクリップアーム４２にクランプされた携帯端末機器を取り外しようとすると、手で携帯端末機器を掴み、ハウジング４１の両側に位置している第２トリガーユニット４８ｂと第３トリガーユニット４８ｃをそれぞれ２本の指（例えば親指と中指）で自然にタッチ又は押圧すれば、第２トリガーユニット４８ｂと第３トリガーユニット４８ｃを同時にトリガーし、クリップアーム４２を広げ、携帯端末機器を楽に取り外すことができる。
【００７９】
電動ホルダーを第２トリガーユニット４８ｂと第３トリガーユニット４８ｃが同時にトリガーされる次第にクリップアーム４２を広げることができるように設計し、電動ホルダーが片側のミスタッチによってクリップアーム４２を誤って広げることがないことを確保し、これによってホルダーが誤ってタッチされることによってクリップアーム４２を誤って広げることを効果的に回避し、電動ホルダーの信頼性及び実用性を向上させる。また、通常、携帯端末機器を取り外す時に、ユーザーが片手の親指と残りの指で携帯端末機器を掴むため、第２トリガーユニット４８ｂと第３トリガーユニット４８ｃをそれぞれハウジング４１の左右両側に設けると、それぞれユーザーの親指及び残りの指にトリガーされ得、且つ同時にトリガーされやすく、操作が簡単で、且つ、ユーザーの使用習慣に適合する。更に、第２トリガーユニット４８ｂと第３トリガーユニット４８ｃをそれぞれハウジング４１の左右両側におけるクリップアーム４２とハウジング４１の底端との間に位置する部位に設けると、さらにユーザーの使用習慣に適合し、且つ、携帯端末機器を取り外す時に、ユーザーが携帯端末機器の下半部を掴むことができ、携帯端末機器の手から滑落することを更に効果的に防止する。
【００８０】
なお、直線距離が大きな両側面を上下両側とし、直線距離が小さな両側面を左右両側とすれば、他の実施例において、ハウジング４１の第２トリガーユニット４８ｂと第３トリガーユニット４８ｃが設けられている両側は、第１クリップアーム４２ａと第２クリップアーム４２ｂが設けられている両側と異なってもよい。例えば、電動ホルダーが携帯端末機器の上下両側から携帯端末機器を挟持するように設計されてもよく、即ち、第１クリップアーム４２ａと第２クリップアーム４２ｂがそれぞれハウジング４１の上下両側に設けれている。ユーザーの使用習慣によれば、携帯端末機器を取り外す時に、ユーザーが携帯端末機器の上下両側を掴むことに慣れず、携帯端末機器の左右両側から携帯端末機器を掴むことに慣れるため、第１クリップアーム４２ａと第２クリップアーム４２ｂがそれぞれハウジング４１の上下両側に設けられるが、第２トリガーユニット４８ｂと第３トリガーユニット４８ｃがハウジング４１の左右両側に設けられるべきである。
【００８１】
理解するであろう、第２トリガーユニット４８ｂ及び第３トリガーユニット４８ｃと制御ユニット４７との結合が実現できれば、第２トリガーユニット４８ｂと第３トリガーユニット４８ｃの設置可能な位置がハウジング４１の側面に限定されず、ハウジング４１の他の表面に設けられてもよい。なお、第２トリガーユニット４８ｂと第３トリガーユニット４８ｃは、携帯端末機器が既に支持面４１０上に固定されている場合にクリップアーム４２を広げるために用いられるため、ユーザーの使用習慣から考えると、オプションとして、第２トリガーユニット４８ｂと第３トリガーユニット４８ｃが電動ホルダーの支持面４１０以外の表面に設けられている。
【００８２】
他の実施例において、第２トリガーユニット４８ｂと第３トリガーユニット４８ｃが同じタイプのタッチスイッチ又はセンサであってもよく、一方がタッチスイッチで他方がセンサであってもよく、或いはそれぞれ異なるタイプのセンサであってもよい。利用されたセンサのタイプが圧力センサ、タッチセンサ、赤外線センサ又は音声センサであってもよい。例えば、第２トリガーユニット４８ｂがタッチセンサである場合、ユーザーの指が力を入れる必要なく、ちょっとしたタッチすればトリガーできる。
【００８３】
他の実施例において、制御ユニット４７は、第１トリガーユニット４８ａ、第２トリガーユニット４８ｂ及び第３トリガーユニット４８ｃに故障が発生したか否かを事前に判断することによって、電動ホルダーを異なる動作モードに入るように制御することができる。３つのトリガーユニットがいずれも正常である場合、制御ユニット４７が電動ホルダーを第１動作モードに入るように制御し、第１トリガーユニット４８ａがトリガーされると、制御ユニット４７が電気駆動装置４６に正回転信号を送信し、電気駆動装置４６を正回転させ、これによってクリップアーム４２を狭め、第２トリガーユニット４８ｂと第３トリガーユニット４８ｃが同時にトリガーされると、制御ユニット４７が電気駆動装置４６に逆回転信号を送信し、電気駆動装置４６を逆回転させ、これによってクリップアーム４２を広げる。３つのトリガーユニットの中のいずれかのトリガーユニット、例えば第２トリガーユニット４８ｂが故障した場合、制御ユニット４７が電動ホルダーを第２動作モードに入るように制御し、第１トリガーユニット４８ａがトリガーされると時、制御ユニット４７が電気駆動装置４６に正回転信号を送信し、電気駆動装置４６を正回転させ、これによってクリップアーム４２を狭め、第３トリガーユニット４８ｃがトリガーされると、制御ユニット４７が電気駆動装置４６に逆回転信号を送信し、電気駆動装置４６を逆回転させ、これによってクリップアーム４２を広げる。３つのトリガーユニットの中のいずれか２つに故障が発生し、例えば第３トリガーユニット４８ｃのみが正常に動作する場合、制御ユニット４７が電動ホルダーを第３動作モードに入るように制御し、即ち、第３トリガーユニット４８ｃがトリガーされると、制御ユニット４７にトリガー信号を送信し、制御ユニット４７がトリガー信号を奇数回目に受信した時に送信する制御信号（正回転信号又は逆回転信号）は、制御ユニット４７がトリガー信号を偶数回目に受信した時に送信する制御信号と異なっている。例えば、第３トリガーユニット４８ｃが奇数回トリガーされると、制御ユニット４７にトリガー信号を送信し、そして制御ユニット４７がトリガー信号を奇数回目に受信した時に、電気駆動装置４６に正回転信号を送信し、電気駆動装置４６を正回転させ、これによってクリップアーム４２を狭める。第３トリガーユニット４８ｃが偶数回トリガーされると、制御ユニット４７にトリガー信号を送信し、そして制御ユニット４７がトリガー信号を偶数回目に受信した時に、電気駆動装置４６に逆回転信号を送信し、電気駆動装置４６を逆回転させ、これによってクリップアーム４２を広げる。或いは、第３トリガーユニット４８ｃが奇数回トリガーされると、制御ユニット４７に狭まりトリガー信号を送信し、制御ユニット４７が当該狭まりトリガー信号を受信すれば電気駆動装置４６に正回転信号を送信し、電気駆動装置４６を正回転させ、これによってクリップアーム４２を狭め、第３トリガーユニット４８ｃが偶数回トリガーされると、制御ユニット４７に広がりトリガー信号を送信し、制御ユニット４７が当該広がりトリガー信号を受信すれば電気駆動装置４６に逆回転信号を送信し、電気駆動装置４６を逆回転させ、これによってクリップアーム４２を広げる。各動作モードの具体的な動作原理及びプロセスについては、前述した実施例で既に詳細に説明したため、ここでは説明を省略する。
【００８４】
このようにして、電動ホルダーが３つ以上のトリガーユニットを有している場合、いくつかのトリガーユニットに故障が発生しても、一部のトリガーユニットが正常である限り、電動ホルダーは、当該一部のトリガーユニットによって引き続き動作することができ、電動ホルダーの実用性及び信頼性を向上させる。
【００８５】
このような設計によって、電動ホルダーにおいて１つのみのトリガーユニットが正常に動作することができれば、電動ホルダーの正常使用に影響を及ぼさず、電動ホルダーの実用性及び信頼性を向上させる。
【００８６】
図７を参照し、図７は、別の実施例における電動ホルダーの斜視組合図である。図７に示すように、本実施例に係る電動ホルダーは、それぞれ電動ホルダーの入力ユニットと出力ユニットである第１ポート５９１と第２ポート５９２を含む。ここで、第１ポート５９１が電源入力ポートとして電源線を介して外部電源と接続され、例えば車載アダプタによってシガーライタ口から給電され、或いはモバイル電源によって給電され、及びコンピュータの出力ポート、アダプタ又は自動車の内部回線によって給電される等で、電動ホルダーの動作に給電することができる。通常、ユーザーが電源線の一端を車内の給電ポートに長期的に接続するため、電源線を用いて他の設備を充電する必要がない場合、電源線の他端がそのまま放置して線自体の置き場もなく、振れられやすくて車内が乱雑に見える。電動ホルダーは、１つの固定具に相当し、電源線の他端を電動ホルダーの第１ポート５９１に接続すれば、電源線を固定して車内をよりきちんとする。
【００８７】
第２ポート５９２は、電源出力ポートとして携帯端末機器に給電することができる。本実施例において、第１ポート５９１と第２ポート５９２がハウジング５１の底部に並設されており、ユーザーが携帯端末機器を電動ホルダー上に置く場合、携帯端末機器が別の電源線を介して第２ポート５９２に接続し、充電状態に入ることができる。
【００８８】
本実施例の電動ホルダーは、留め具５４を更に含み、当該留め具５４がハウジング５１の底部の支持面に接近する位置に摺動可能に固定されており、ユーザーが電源線を用いて携帯端末機器を充電する時に、留め具５４を移動することによって、留め具５４を携帯端末機器の充電ポートから回避することができ、電動ホルダーの実用性を向上させる。
【００８９】
図８を参照し、図８は、別の実施例における電動ホルダーの斜視組合図である。図８に示すように、本実施例に係る電動ホルダーは、ハウジング６１、一対のクリップアーム６２、台座６３及び留め具６４を含む。電動ホルダーは、電源入力ポートが更に設けられており、電源線を介して外部電源と接続され、例えば車載アダプタによってシガーライタ口から給電され、或いはモバイル電源によって給電され、及びコンピュータの出力ポート、アダプタ又は自動車の内部回線によって給電される等で、電動ホルダーの動作に給電する。電源線を当該電源入力ポートに接続することで、電動ホルダーに給電することができるとともに、電源線を固定することもでき、電動ホルダーの実用性を向上させる。
【００９０】
留め具６４がハウジング６１の底部と可動的に接続されており、即ち、留め具６４がハウジング６１に対して水平面内で摺動又は垂直面内で回動することができる。当該留め具６４には出力アダプタ６４１が設けられている。ユーザーが電動ホルダーを利用して携帯端末機器を充電しようとすると、留め具６４を移動又は回動し、出力アダプタ６４１の位置を調整することによって携帯端末機器の充電ポートに位置合わせ、引き続き携帯端末機器を電動ホルダーに置き、出力アダプタ６４１を携帯端末機器の充電ポートに直接挿入することができる。このように、電動ホルダーは、別の電源線を使用する必要なく携帯端末機器に対する充電を実現することができる。同時に、留め具６４が可動的であるため、ユーザーが片手で携帯端末機器を電動ホルダーに置き、電動ホルダーが移動端末をクランプした後、同じ手で出力アダプタ６４１を携帯端末機器の充電ポートに挿入することができ、完全に片手操作でき、便利で迅速である。
【００９１】
理解するであろう、出力アダプタは、Ｍｉｃｒｏ−ＵＳＢアダプタ、Ｌｉｇｈｔｎｉｎｇアダプタ、又はＴｙｐｅ−Ｃアダプタであってよく、携帯端末機器自体が磁気吸引アダプタを備える場合、出力アダプタは、通電可能な磁性出力端であってもよい。
【００９２】
他の実施例において、電動ホルダーは、ワイヤレス充電コイルを更に含んでもよく、携帯端末機器がワイヤレス充電機能を備える場合、電動ホルダーがワイヤレス充電コイルによって電動ホルダーに固定された携帯端末機器を充電することができる。
【００９３】
オプションとして、電動ホルダーが給電ユニットを更に含んでもよく、電動ホルダーが外部電源に接続されていない場合、当該給電ユニットが制御ユニット、電気駆動装置及びトリガーユニットに対して独立して給電し、電源切れによって電動ホルダーが正常動作できないことを防止する。例えば、駐車してエンジンが止まった後にシガーライタが電源切れた場合、給電ユニットによって電動ホルダーの正常動作を確保し、駐車後にユーザーが携帯端末機器を電動ホルダーから取り外すことができない場合を回避する。給電ユニットは、交換可能な乾電池、リチウム電池又は充電式電池であってもよく、電動ホルダーに内蔵された充電式電池であってもよく、具体的には実際のニーズに応じて選択する。
【００９４】
図９を参照し、図９は、本願の別の実施例における電動ホルダーの動作原理概略図である。図９に示すように、本実施例に係る電動ホルダーは、制御ユニット７１、トリガーユニット７２及び電気駆動装置７３を含み、制御ユニット７１がそれぞれトリガーユニット７２と電気駆動装置７３に電気的に接続されている。ここで、制御ユニット７１は、信号処理サブユニット７１１と駆動制御サブユニット７１２を含み、信号処理サブユニット７１１は、トリガーユニット７２がトリガーされる時に送信する信号を受信して信号処理を行うために用いられ、駆動制御サブユニット７１２は、信号処理の結果に基づいて制御信号を送信し、電気駆動装置７３の動作モードを制御するために用いられる。
【００９５】
制御ユニット７１は、電流サンプリングサブユニット７１３を更に含み、電流閾値が予め設定されている。一対のクリップアームは、限界（例えば、クリップアームのストッパがハウジングの係止部と係合された場合、又は携帯端末機器を挟持する必要がない時にクリップアームが挟持部まで挟まりハウジングと係合された場合）まで広がり又は狭まり、または携帯端末機器をクランプした時に、制御ユニット７１が電気駆動装置７３を制御して駆動を停止させる。具体的には、電流サンプリングサブユニット７１３が電気駆動装置７３の動作電流をサンプリングし、当該動作電流が予め設定された電流閾値よりも大きい場合、駆動制御サブユニット７１２が電気駆動装置７３を制御して回動を停止させる。
【００９６】
本実施例において、トリガーユニットの数は２つであって、それぞれ狭まりトリガーユニット７２１と広がりトリガーユニット７２２である。前述した実施例によって理解するであろう、電動ホルダーは、トリガーユニットを１つのみ有してもよく、２つ以上のトリガーユニットを有してもよい。
【００９７】
ユーザーが携帯端末機器を固定する必要がある場合、携帯端末機器が電動固定ホルダー上に置かれ、狭まりトリガーユニット７２１がトリガーされ、信号処理サブユニット７１１に狭まりトリガー信号を送信し、信号処理サブユニット７１１が当該狭まりトリガー信号を受信した後、電気駆動装置７３を制御して正回転させるべきであると判断すれば、駆動制御サブユニット７１２が電気駆動装置７３に正回転信号を送信し、電気駆動装置７３が当該正回転信号を受信すれば正方向回転を開始し、クリップアームを動かして狭める。携帯端末機器がクランプされた時に、クリップアームがこれ以上狭まることができず、この時、電気駆動装置７３がそのまま正方向へ駆動するが、引き続き回動することができないため、電気駆動装置７３の動作電流が徐々に高まっていく。電気駆動装置７３が回動している間に、電流サンプリングサブユニット７１３が電気駆動装置７３の動作電流を連続的にサンプリングし、サンプリングされた動作電流が予め設定された閾値よりも大きい場合、信号処理サブユニット７１１が電気駆動装置７３に駆動を停止させるべきであると判断すれば、駆動制御サブユニット７１２が電気駆動装置７３に停止信号を送信し、電気駆動装置７３の駆動を停止させる。電気駆動装置７３は、ウオームを含み、セルフロック機能を備え、電気駆動装置７３が駆動を停止した場合、クリップアームが携帯端末機器をしっかりクランプする状態を保持する。
【００９８】
携帯端末機器を取り外す必要がある場合、ユーザーが広がりトリガーユニット７２２をタッチし、広がりトリガーユニット７２２がトリガーされ、信号処理サブユニット７１１に広がりトリガー信号を送信し、信号処理サブユニット７１１が当該広がりトリガー信号を受信した後、電気駆動装置７３を制御して逆回転させるべきであると判断すれば、駆動制御サブユニット７１２が電気駆動装置７３に逆回転信号を送信し、電気駆動装置７３が当該逆回転信号を受信すれば逆方向回転を開始し、クリップアームを動かして広げ、ユーザーが携帯端末機器を電動ホルダー上から取り外すことができる。携帯端末機器が電動ホルダーから離れた後、電動ホルダーのクリップアームがそのまま広がり、クリップアームのストッパがハウジングの係止部と係合されている時、クリップアームがこれ以上広がることができず、即ち、クリップアームの広がりが最大限に達した。この時、電気駆動装置７３がそのまま逆方向へ駆動するが、引き続き回動することができなく、電気駆動装置７３の動作電流も徐々に高まっていく。電流サンプリングサブユニット７１３が電気駆動装置７３の動作電流をサンプリングし、サンプリングされた動作電流が予め設定された閾値よりも大きい場合、信号処理サブユニット７１１が電気駆動装置７３に駆動を停止させるべきであると判断すれば、駆動制御サブユニット７１２が電気駆動装置７３に停止信号を送信し、電気駆動装置７３の駆動を停止させる。
【００９９】
電流サンプリングサブユニット７１３によって、電気駆動装置７３の電流が一定値を超えると、制御ユニット７１が電気駆動装置７３をタイムリーに制御して駆動を停止することができ、電力を節約するとともに、電動ホルダーの回路を保護し、電動ホルダーの寿命を確保する。
【０１００】
理解するであろう、他の実施例において、制御ユニット７１は、電気駆動装置７３の動作電流によらず、電気駆動装置７３の駆動時間によって、電気駆動装置７３を制御して回動を停止すべきであるか否かを判断してもよい。
【０１０１】
本願に係る電動ホルダーは、トリガーユニット７２によってユーザーの目的が携帯端末機器を固定することであるか携帯端末機器を取り外すことであるかを判断することによって、電気駆動装置７３を正方向又は逆方向に駆動させ、クリップアームを動かして狭め又は広げることで携帯端末機器をクランプ又はリリースし、クリップアームの知能化駆動を実現する。本願に係る電動ホルダーは、操作が簡単で片手操作しやすく、携帯端末機器のクランプ動作においてもリリース動作においても、ユーザーがクリップアームを手動で移動する必要がなく、知能化、自動化の程度が高く、運転中にユーザーが電動ホルダーを使用する安全性と利便性を向上させる。
【０１０２】
図面と詳細な説明を参照して理解した上、他の方面を理解することができる。
【産業上の利用可能性】
【０１０３】
本願に係る電動ホルダーは、操作が簡単で片手で操作しやすく、携帯端末機器のクランプ動作においてもリリース動作においても、ユーザーがクリップアームを手動で移動する必要がなく、知能化、自動化の程度が高く、運転中にユーザーが電動ホルダーを使用する安全性と利便性を向上させる。
【図１】
0003220957.tif 000003
【図２】
0003220957.tif 000004
【図３】
0003220957.tif 000005
【図４】
0003220957.tif 000006
【図５】
0003220957.tif 000007
【図６】
0003220957.tif 000008
【図７】
0003220957.tif 000009
【図８】
0003220957.tif 000010
【図９】
0003220957.tif 000011